(57)【要約】【課題】シート状の記録材料を処理するための互いに隣接した第１処理部および第２処理部と、記録材料を第１処理部から第２処理部へ搬送する搬送経路とを有し、第１処理部と第２処理部の少なくとも一方は、メンテナンスのために記録材料の幅方向に沿って引き出し可能なユニット状に設けられている写真処理装置用カッタにおいて、できるだけ簡単な構造で写真処理装置のコストアップを引き起こし難い写真処理装置用カッタを提供する。【解決手段】写真処理装置に対する外部からの挿入操作に基づいて、記録材料２を第１処理部１０と第２処理部２０の間で切断可能であり、且つ、切断操作後は写真処理装置の内部から抜き出される写真処理装置用カッタ４０とした。【選択図】　図４
2004058174.tif 000002
【特許請求の範囲】
【請求項１】
シート状の記録材料を処理するための互いに隣接した第１処理部および第２処理部と、前記記録材料を前記第１処理部から前記第２処理部へ搬送する搬送経路とを有し、前記第１処理部と第２処理部の少なくとも一方は、メンテナンスのために前記記録材料の幅方向に沿って引き出し可能なユニット状に設けられている写真処理装置用カッタであって、
前記写真処理装置に対する外部からの挿入操作に基づいて、前記記録材料を第１処理部と前記第２処理部の間で切断可能であり、且つ、前記切断操作後は前記写真処理装置の内部から抜き出される写真処理装置用カッタ。
【請求項２】
ハンドル部と、前記ハンドル部の一端から延びた被挿入部とを有し、前記被挿入部の先端付近に切断刃が設けられており、前記切断刃から前記ハンドル部の間に前記記録材料をその全幅にわたって収納可能なスリットが形成されている請求項１記載の写真処理装置用カッタ。
【請求項３】
前記写真処理装置の前記搬送経路には前記記録材料を両面から案内する一対のガイド板が設けられており、前記被挿入部の前記スリットの縁部付近には、前記一対のガイド板の一端との係合状態を維持しながら摺動案内されるリブが立設されている請求項２記載の写真処理装置用カッタ。
【発明の詳細な説明】
【０００１】
【発明の属する技術分野】
本発明は、シート状の記録材料を処理するための互いに隣接した第１処理部および第２処理部と、前記記録材料を前記第１処理部から前記第２処理部へ搬送する搬送経路とを有し、前記第１処理部と第２処理部の少なくとも一方は、メンテナンスのために前記記録材料の幅方向に沿って引き出し可能なユニット状に設けられている写真処理装置と共に用いられるカッタに関する。
【０００２】
【従来の技術】
上記のカッタに関連する技術として、特開２００１−９２１０２号公報に記された切断機構を備えた写真処理装置の発明が知られている。この切断機構は、印画紙を収納マガジンから露光部などに送り出すための搬送ユニット等に設けられている。この搬送ユニットには、収納マガジンから引き出された印画紙を円滑に受け入れるために、広く開いた先端部から次第に狭まった傾斜面を備えた入口ガイド部材が設けられており、この入口ガイド部材の奥側にカッタの切断刃を配置すると同時に、入口ガイド部材を印画紙の幅方向に引き出し可能に設けてあるので、必要に応じてオペレータが入口ガイド部材を写真処理装置の外側に引き出すと、切断刃が手前側に移動しながら印画紙を切断するという構造になっている。
【０００３】
この切断機構を備えた写真処理装置においては、第１処理部から第２処理部の内部まで１枚の記録材料が連続して存在している状態で搬送機構内で記録材料のジャミング等のトラブルが生じた場合でも、上記の切断機構によって記録材料を切断処理した上で、記録材料収納マガジン或いは搬送ユニットをスライドレールに沿ってスムースに写真処理装置の内部から引き出すことができ、また、メンテナンス作業に際して比較的に少量の記録材料を無駄にするだけで済む。
【０００４】
【発明が解決しようとする課題】
しかし、上記の従来技術によるカッタを備えた写真処理装置では、切断刃を備え且つ略全長にわたって引き出し可能に形成された入口ガイド部材からなる切断機構を実現するには、入口ガイド部材と搬送ユニットの間に固定レールと可動レールからなる一般に高価なスライドレールを設ける必要があり、しかも、そのような切断機構を引き出し可能な処理ユニットの一つ一つに設けることが必要であり、結果的に、写真処理装置のコストアップを引き起こすという問題があった。
【０００５】
したがって、本発明の目的は、上に例示した従来技術によるカッタの持つ前述した欠点に鑑み、できるだけ簡単な構造で写真処理装置のコストアップを引き起こし難いカッタの構造を提供することにある。
【０００６】
【課題を解決するための手段】
上記目的を達成するために、本発明に係るカッタは、特許請求の範囲の請求項１から３のいずれか１項に記された特徴構成を備えている。
すなわち、本発明の請求項１によるカッタは、
シート状の記録材料を処理するための互いに隣接した第１処理部および第２処理部と、前記記録材料を前記第１処理部から前記第２処理部へ搬送する搬送経路とを有し、前記第１処理部と第２処理部の少なくとも一方は、メンテナンスのために前記記録材料の幅方向に沿って引き出し可能なユニット状に設けられている写真処理装置と共に用いられるカッタであって、
前記写真処理装置に対する外部からの挿入操作に基づいて、前記記録材料を第１処理部と前記第２処理部の間で切断可能であり、且つ、前記切断操作後は前記写真処理装置の内部から抜き出されることを特徴構成としている。
【０００７】
このような特徴構成を備えているために、本発明の請求項１によるカッタでは、
カッタを１個だけ通常は例えば写真処理装置のキャビネットのドアの内側等に保管しておき、ユニット状の処理部を引き出す必要が生じた時には、オペレータが前記カッタを持ち、写真処理装置の互いに隣接した処理部どうしの間に設けられた被挿入個所に挿入すれば記録材料が切断され、円滑なメンテナンス操作ができる。従って、上記の従来技術に紹介されているような比較的複雑な構造を持つ高価な切断機構を写真処理装置の側に内蔵させる必要がない。他方、写真処理装置の側に設けておく被挿入個所としては、外部から挿入されるカッタを記録材料の面に沿って確実に案内するための簡単な板状、棒状、乃至は溝状等の案内部材を設けておくだけで良い。
【０００８】
特に、前記カッタが、ハンドル部と、前記ハンドル部の一端から延びた被挿入部とを有し、前記被挿入部の先端付近に切断刃が設けられており、前記切断刃から前記ハンドル部の間に前記記録材料をその全幅にわたって収納可能なスリットが形成されている構成とすることができる。
このように構成すれば、カッタの挿入操作に基づいて切断された記録材料の幅方向に沿って延びた縁部が前記スリット内に収納されるので、記録材料の前記縁部がカッタのいずれかの部位と擦れることで縁部が折れる、或いは、縁部の端面が膨らむ等の損傷の発生が抑制される。
【０００９】
さらに、前記写真処理装置の前記搬送経路には前記記録材料を両面から案内する一対のガイド板が設けられており、前記被挿入部の前記スリットの縁部付近には、前記一対のガイド板の一端との係合状態を維持しながら摺動案内されるフランジ部が立設された構成とすることができる。
このように構成すれば、記録材料を切断するための構成とは別に当初から必須構成として既存している記録材料用の一対のガイド板を、カッタを記録材料の面に沿って案内するための案内部材として利用でき、より簡単な構造の写真処理装置が得られる。また、カッタにも、一対のガイド板の一端を両面から挟み込むような形状のリブが形成されているという簡単な構造のもので良い。
【００１０】
本発明によるその他の特徴および利点は、以下図面を用いた実施形態の説明により明らかになるであろう。
【００１１】
【発明の実施の形態】
本発明の実施形態の一例について図面に基づいて解説する。
（写真処理装置の概略構成）
図１は、本発明によるカッタを適用可能な写真処理装置の概観を示す概略斜視図である。この写真処理装置はデジタル露光式のプリント部を備えており、既に現像処理済みの写真フィルム（以後単にフィルムと称す）１のコマ画像をデジタル画像データとして取得するフィルムスキャナー３と、取得されたデジタル画像データを処理してプリントデータを作成するコントローラ７と、このプリントデータに基づいてコマ画像に対応する画像を、印画紙マガジン１０から送られて来た印画紙２（記録材料の一例）に露光するデジタルプリント部５（図２を参照）と、露光された印画紙２を現像処理する現像処理部６とを備えている。現像処理部６で現像された印画紙２は、乾燥工程を経て仕上がりプリント２ｆとして排出口１５からソータ１６上に排出される。
コントローラ７には、フィルムスキャナー３によって獲得された画像データを視覚化するためのモニタ７ａ、モニタ７ａ上に表示された画像に補正値を入力可能な図示されない操作卓７ｃ、及び、ＰＣカードその他のデータ記憶メディアから画像データを取り出すための画像データ入力部（不図示）などが接続されている。
【００１２】
デジタルプリント部５で印画紙２に画像を露光する装置には、ＰＬＺＴシャッター方式の露光エンジンが採用されている。つまり、露光ヘッド５ａとして、ＰＬＺＴ素子からなるシャッタアレイを採用したものである。このＰＬＺＴ素子からなるシャッタアレイは、チタン酸ジルコン酸鉛にランタンを添加することにより得られる透明強誘電性セラミックス材料から構成され、その材料の有する電気光学効果を利用したもので、各シャッターにはフィルムスキャナー３用のランプハウスの背後に設けられた露光用光源５ｂ（これはフィルムスキャナー３のランプハウスの背後に設けても良い）から一つに束ねられた多数の光ファイバを介してＲ、Ｇ、Ｂ各色の光が順次導入される。このシャッタアレイは、印画紙２の幅方向、つまり搬送方向の横断方向に沿って２列に並んだ印画紙２にわたって延びている。各シャッターに所定レベルの電圧が印加されると、光透過状態になり、その電圧の印加が停止されると光遮断状態となる。
従って、コントローラ７からプリントデータに基づいて各画素に対応するシャッターに駆動電圧が印加されると、そのシャッターが開いて光源から導入されている色の光が印画紙２に照射される。露光用光源５ｂには、Ｒ、Ｇ、Ｂの３色の光学フィルタが互いに周方向に隣接することによって形成された回転フィルタが備えられており、この回転フィルタを回転位相制御することにより、Ｒ、Ｇ、Ｂの内の１つの波長の光が選択的に光源に対向し、その色のフィルタを介して選択色の光が光ファイバーを通じてシャッターに送られる。デジタルプリント部に採用する露光エンジンの方式としては、このＰＬＺＴシャッター方式の他に、液晶シャッター方式、蛍光ビーム方式、ＦＯＣＲＴ方式、ＤＭＤ（デジタルマイクロミラーデバイス）方式、及び、レーザービーム照射式などが知られており、これらの中の任意のものを露光仕様に応じて選択することができる。
【００１３】
図２に示すように、印画紙２を処理しつつ搬送する印画紙搬送経路８が印画紙マガジン１０から排出口１５まで延びている。尚、デジタルプリント部５は、２列に並んで副走査されるＬサイズのカット印画紙２を同時に露光できるものである。この能力を有効に用いるために、印画紙搬送経路８は、印画紙マガジン１０から引き出した長尺の印画紙２をＬサイズその他の寸法のカット印画紙２に加工しては順次上方に送り出す第１搬送ライン８Ａと、第１搬送ライン８Ａから送られてくるカット印画紙２を図１の紙面の手前側と奥側との２列に振り分ける振り分けユニット４と、振り分けユニット４が垂直上方に提供するカット印画紙２を２列のままでデジタルプリント部５に送り込む第２搬送ライン８Ｂと、露光済みのカット印画紙２をやはり２列で搬送しながら現像処理する第３搬送ライン８Ｃとを有する。振り分けユニット４の詳細構造についてはここでは省略する。
【００１４】
（印画紙マガジン１０の構成）
印画紙マガジン１０は、向かって左側の第１マガジン１０ａと、向かって右側の第２マガジン１０ｂとからなるが、各々、マガジン１０の取り替え作業を容易にするために、写真処理装置のフレーム６０に対して手前側に大きく引き出し可能に支持されたスライドテーブル１５ａ，１５ｂ上に設置されている。
向かって左側の第１マガジン１０ａは、簡略的に述べれば、樹脂製で暗箱状の筐体１１ａを有し、筐体１１ａの内部にロール状の印画紙を回転可能に支持するリール１２ａと排出ローラ対１３ａを備え、筐体１１ａの右下隅に排出口１１ｐが設けられている。同様に、右側の第２マガジン１０ｂは、内部にロール状の印画紙を回転可能に支持するリール１２ｂと排出ローラ対１３ｂを備えた暗箱状の筐体１１ｂを有し、筐体１１ｂの左下隅に排出口１１ｑが設けられている。印画紙マガジン１０内では、印画紙２は常に乳剤面を外側にしたロール状に収納されており、第１マガジン１０ａの排出口１１ｐからは、乳剤面が下向きの印画紙２が右水平向きに引き出され、第２マガジン１０ｂの排出口１１ｑからは、乳剤面が左方向きの印画紙２が垂直下向きに引き出される。
第１印画紙マガジン１０ａを支持しているスライドテーブル１５ａは、図１の紙面を貫通する方向に延びた左右一対のスライド支持機構１６，１６を介して、フレーム６０に支持されている。スライド支持機構１６は、その右側のものについて図３に示されるように、フレーム６０に固定された固定レール１６ａと、スライドテーブル１５ａに固定された可動レール１６ｃと、固定レール１６ａと可動レール１６ｃの間に支持された中間レール１６ｂとからなる。中間レール１６ｂは、固定レール１６ａと可動レール１６ｃの双方に対して、両部材に対して転動自在な多数の鋼球１７を介して、スライド移動自在に支持されている。図２に示すように、第２印画紙マガジン１０ｂを支持しているスライドテーブル１５ｂについても同様の構成がとられている。
【００１５】
（搬送ユニット２０の構成）
印画紙マガジン１０から引き出した印画紙２をカット印画紙２に加工しては振り分けユニット４に提供する第１搬送ライン８Ａもまた、万一ジャミングした印画紙を手動で取り除く必要が生じた場合などに、写真処理装置の正面から手前側に引き出し操作することが可能な搬送ユニット２０として設けられている。
図２に示すように、搬送ユニット２０には、第１マガジン１０ａから印画紙２を引き出すためにステッピングモータ（不図示）によって回転駆動操作される第１アドバンスローラ２１ａ、同様に、第２マガジン１０ｂから印画紙２を引き出すための第２アドバンスローラ２１ｂ、印画紙２をアドバンスローラ２１ａ，２１ｂの周面に押し付ける圧着ローラユニット２２ａ，２２ｂ、印画紙２を搬送ユニット２０内で切断してカット印画紙２に加工するためのカッタ機構２８などが設けられている。また、第１マガジン１０ａから引き出される印画紙２をアドバンスローラ２１ａの下側の周面まで案内する搬入ガイド部材２３ａ、第２マガジン１０ｂから引き出される印画紙２をアドバンスローラ２１ｂの右側の周面まで案内する搬入ガイド部材２３ｂ、及び、アドバンスローラ２１ａ，２１ｂが送り出す印画紙２を案内する内部ガイド板２５が設けられている。
【００１６】
尚、圧着ローラユニット２２ａは、図３に示すように、水平な軸芯２２ｐ周りで回動可能に支持されたローラユニット本体２２ｍとこのローラユニット本体２２ｍに回動自在に支持された一対のローラとからなる。そして、圧着ローラユニット２２ａは、アドバンスローラ２１ａと協働して印画紙２を搬送する圧着位置を示しているが、圧着ローラユニット２２ａは、この圧着位置から軸芯２２ｐ周りで時計方向に約９０°回転した解放位置（不図示）に向けて回動可能に構成されている。圧着ローラユニット２２ａをこの解放位置に切り替えれば、圧着ローラユニット２２ａの付近でジャミングした印画紙２を容易に除去することができる。圧着ローラユニット２２ｂについても、基本的に圧着ローラユニット２２ａと同様の構成となっている。
図３から理解されるように、第１マガジン１０ａから搬入ガイド部材２３ａを介して進入した印画紙２は、圧着ローラユニット２２ａと、内部ガイド板２５の垂直面２５ａと、搬入ガイド部材２３ａの垂直に延びた後端部２４とによって、垂直上向きに方向を変えられ、さらに中間ガイド部材２７の内部を経て、カッタ機構２８を通って搬送ユニット２０の外部に送り出され、振り分けユニット４に手渡される。同様に、第２マガジン１０ｂから搬入ガイド部材２３ｂを介して進入した印画紙２も、圧着ローラユニット２２ｂと、内部ガイド板２５の上向き傾斜面２５ｂと、搬入ガイド部材２３ａの後端部２４とによって、垂直上向きに方向を変えられ、さらに中間ガイド部材２７の内部を経て、カッタ機構２８を通って搬送ユニット２０の外部に送り出され、振り分けユニット４に手渡される。なお、搬入ガイド部材２３ａの後端部２４の付近には、印画紙２を搬入ガイド部材２３ａの垂直面に押し付けつつ上向きに送り出す排出ローラ２６が設けられている。
【００１７】
搬送ユニット２０も、印画紙マガジン１０と同様に、図１の紙面を貫通する方向に延びた左右一対のスライド支持機構３６，３６を介して、フレーム６０に支持されている。スライド支持機構３６は、フレーム６０に固定された固定レール３６ａと、搬送ユニット２０の筐体２０ａに固定された可動レール３６ｃと、固定レール３６ａと可動レール３６ｃの間に支持された中間レール３６ｂとからなる。中間レール３６ｂは、固定レール３６ａと可動レール３６ｃの双方に対して、両部材に対して転動自在な多数の鋼球３７を介して、スライド移動自在に支持されている。
尚、写真処理装置の正面には、印画紙搬送経路８の第１搬送ライン８Ａ、振り分けユニット４、及び第２搬送ライン８Ｂを暗室状態に保持するための遮光ドア１４が設けられており、この遮光ドア１４を開放した時に限って、第１マガジン１０ａ、第２マガジン１０ｂ、或いは、搬送ユニット２０の引き出し操作が可能となる。
遮光ドア１４を開放すると、印画紙搬送経路８の上部構造を支持するための垂直ポスト６０ａが、フレーム６０の一部として第１マガジン１０ａと搬送ユニット２０の間に上下に延びている。この垂直ポスト６０ａは、第１マガジン１０ａ及び搬送ユニット２０よりも手前側に位置しており、垂直ポスト６０ａの奥側には、第１マガジン１０ａから送り出された印画紙２を搬送ユニット２０の搬入ガイド部材２３ａの入口まで案内するために水平に延びた固定ガイド３０が、フレーム６０に固定された状態で設けられている。また、第２マガジン１０ｂと搬入ガイド部材２３ｂの入口の間にも印画紙２を案内するために垂直に延びた固定ガイド３１が設けられている。
【００１８】
（印画紙切断具の構成）
印画紙２が、第１マガジン１０ａ（第１処理部の一例）から搬送ユニット２０（第２処理部の一例）へ、或いは、第２マガジン１０ｂ（第１処理部の一例）から搬送ユニット２０へ供給されている途中で、印画紙２のジャミングその他を解消する目的で、搬送ユニット２０を引き出す必要が生じた場合に、第１マガジン１０ａ、第２マガジン１０ｂ、或いは、搬送ユニット２０の引き出し操作を容易にするため、第１マガジン１０ａと搬送ユニット２０の間、及び、第２マガジン１０ｂと搬送ユニット２０の間で印画紙２を確実に切断するための印画紙切断具が用意されている。この印画紙切断具は、必要が生じた時に、写真処理装置の外部からの挿入操作で印画紙２を切断できるように、通常は遮光ドア１４の内面に取り付けられているカッタ４０（図１に破線で示されている）からなる。
図４に示すように、カッタ４０は、概して細長い板状を呈したカッタ本体４１と、カッタ本体４１の先端付近に着脱自在に取り付けられた替え刃５０とからなる。カッタ本体４１は、オペレータが把持する矩形のハンドル部４１ａと、ハンドル部４１ａの一端から平行に長く延びた一対の被挿入部４１ｂ，４１ｃとを有し、被挿入部４１ｂ，４１ｃの先端付近に替え刃５０が取り付け可能になっている。一対の被挿入部４１ｂ，４１ｃの間には、印画紙２の縁部を収納可能なスリット４２が形成されている。図５に示すように、スリット４２は、切断前の印画紙２の縁部を受け入れるために次第に断面が狭くなる三角形の第１スリット部４２ａと、第１スリット部４２ａに続く狭い第２スリット部４２ｂと、第２スリット部ｂに続く比較的間隙の広い第３スリット部４２ｃとからなる。替え刃５０は、第２スリット部４２ｂを斜めに横断するように取り付けられており、第３スリット部４２ｃは、替え刃５０によって切断された印画紙２の（印画紙２の幅方向に延びた）切り口を、印画紙２の全幅にわたって、ゆとりを持って収納できるように比較的広い間隙を持っており、ハンドル部４１ａまで同じ間隙で続いている。
【００１９】
図７に示すように、被挿入部４１ｂ，４１ｃの先端付近には、替え刃５０を着脱自在に固定するための替え刃固定部４３が設けてある。替え刃固定部４３は、替え刃５０の一端を受け入れ支持して替え刃５０の長手方向に沿った移動を阻止するべく第１の被挿入部４１ｂに一体的に形成された容器状の第１固定片４３ａと、替え刃５０の他端を支持して替え刃５０の幅方向に沿った移動を阻止するべく第２の被挿入部４１ｃに一体的に形成されたトンネル状の第２固定片４３ｂと、替え刃５０の前記一端の第１固定片４３ａからの抜け出しを阻止するべく第２固定片４３ｂの近傍に設けられたネジ部材４４とからなる。ネジ部材４４は、雄ねじ部材４４ａと雌ねじ部材４４ｂとからなる。図７（イ）に示すように、替え刃５０を第２固定片４３ｂの貫通孔に挿通すると、替え刃５０の一端を被挿入部４１ｃ内に支持させることができる。次に、図７（ロ）に示すように、第１の被挿入部４１ｂに形成された貫通孔に雄ねじ部材４４ａを挿通し、挿通された雄ねじ部材４４ａの反対側に雌ねじ部材４４ｂを螺進させると、替え刃５０の一部を第１の被挿入部４１ｂに押し付けて固定できる。
また、カッタ４０と写真処理装置の間には、カッタ４０の替え刃５０を、印画紙２の面に沿って確実に案内するためのガイド機構が設けられている。このガイド機構は、図４と図６に示すように、カッタ４０の第３スリット部４２ｃの縁部付近から被挿入部４１ｂ，４１ｃの面に対して垂直に立設された一対のリブ４６，４６からなる。リブ４６，４６は第３スリット部４２ｃの全長にわたって延びている。これらのリブ４６，４６は、固定ガイド３０，３１の各後端部との係合状態を維持しながら摺動案内される。尚、これらのリブ４６，４６は、カッタ４０のカッタ本体４１に適当な剛性を与える役割を兼ね備えている。
【００２０】
尚、カッタ４０の、固定ガイド３０並びに搬入ガイド部材２３ａとの関係を例により具体的に説明すると、図６に示すように、カッタ４０のリブ４６，４６は、固定ガイド３０の下流側の後端部３１ａを上下から挟持する形で係合可能となっている。この係合関係は、カッタ４０の挿入方向を印画紙２が位置する水平面内に制限する。また、更にカッタ４０の挿入方向を印画紙２の搬送方向と垂直な方向に規制するために、狭い第２スリット部４２ｂの付近に対応する被挿入部４１ｂ，４１ｃには、固定ガイド３０の後端部３１ａの端面を受け止め可能な平坦な第１支持面４７が形成されており、他方、図７に示すように、搬送ユニット２０の搬入ガイド部材２３ａの大きく開いた入口部を受け止め可能な平坦な第２支持面４８が、被挿入部４１ｂ，４１ｃの全長にわたって形成されている。第１支持面４７と第２支持面４８とは、カッタ４０をもう一つの固定ガイド３１並びに搬入ガイド部材２３ｂの間で案内して印画紙２を確実に切断させることにも同様に寄与する。
カッタ４０の、固定ガイド３１並びに搬入ガイド部材２３ｂとの関係も、そのカッタ本体４１が上下に延びた状態でカッタ４０が挿入される点を除けば、基本的に同様である。
【図面の簡単な説明】
【図１】写真処理装置の斜視図
【図２】図１の写真処理装置の要部の正面図
【図３】図１の写真処理装置のさらに要部の正面図
【図４】本発明による写真処理装置用カッタの使用状態を示す斜視図
【図５】図４の写真処理装置用カッタの先端部を示す側面図
【図６】挿入中の写真処理装置用カッタの断面を示す正面図
【図７】図４の写真処理装置用カッタの先端部を示す斜視図
【符号の説明】
２　　　印画紙
１０　　印画紙マガジン
２０　　搬送ユニット
２３　　搬入ガイド部材
３０　　固定ガイド
４０　　写真処理装置用カッタ
４１　　カッタ本体
４１ａ　ハンドル部
４１ｂ　被挿入部
４１ｃ　被挿入部
４２　　スリット
４４　　ネジ部材
４６　　スリット
【図１】
2004058174.tif 000003
【図２】
2004058174.tif 000004
【図３】
2004058174.tif 000005
【図４】
2004058174.tif 000006
【図５】
2004058174.tif 000007
【図６】
2004058174.tif 000008
【図７】
2004058174.tif 000009